(57)【要約】  透過シールド装置は、車載カメラ（２）のセンシング方向に配設されるフロントガラス（Ｇ）を有している。フロントガラス（Ｇ）は外部に露出した外表面を有している。外表面は、車載カメラ（２）の撮像範囲（Ｈ１）を含む拡大撮像範囲（Ｈ２）と周囲範囲（Ｈ３）とを有している。透過シールド装置は、さらに、拡大撮像範囲（Ｈ２）に位置するとともに撥水性を有するステッカ（３）及び周囲範囲（Ｈ３）に位置するとともに親水性を有するコーティング層（５）のうちの少なくとも一方を有している。外表面に付着した液滴は、撮像範囲（Ｈ１）から外側への移動が可能とされる、もしくは周囲範囲（Ｈ３）から撮像範囲（Ｈ１）への進入が抑制される。
2015104903.tif 000002
【特許請求の範囲】
【請求項１】
光学センサのセンシング方向に配設される透過部材であって、該透過部材は外部に露出した外表面を有しており、該外表面は前記光学センサのセンシング範囲を含む拡大センシング範囲と該拡大センシング範囲のさらに外側に位置する周囲範囲とを有している、前記透過部材と、
前記拡大センシング範囲に位置するとともに撥水性を有する撥水部、及び前記周囲範囲に位置するとともに親水性を有する親水部、のうちの少なくとも一方と、を備え、
前記外表面に付着した液滴は、前記センシング範囲から外側への移動が可能とされる、もしくは前記周囲範囲から前記センシング範囲への進入が抑制される、透過シールド装置。
【請求項２】
請求項１に記載の透過シールド装置において、
前記親水部は、前記センシング範囲の上方の位置及び前記センシング範囲の下方の位置の少なくとも一方に設けられている、透過シールド装置。
【請求項３】
請求項１に記載の透過シールド装置において、
前記親水部は、前記センシング範囲の上方の位置に設けられており、
前記親水部は、中央部と端部と下り傾斜部とを有しており、
該下り傾斜部は、前記中央部から前記端部に向かって下方に傾斜している、透過シールド装置。
【請求項４】
請求項１に記載の透過シールド装置において、
前記親水部は、前記センシング範囲の下方の位置に設けられており
前記親水部は、中央部と端部と上り傾斜部とを有しており、
該上り傾斜部は、前記中央部から前記端部に向かって上方に傾斜している、透過シールド装置。
【請求項５】
請求項１に記載の透過シールド装置において、
前記親水部は、前記透過部材の前記外表面に親水性のコーティング剤がコートされてなる、透過シールド装置。
【請求項６】
請求項１に記載の透過シールド装置において、
前記拡大センシング範囲に位置するとともに親水性を有する第２親水部をさらに備え、
前記拡大センシング範囲に位置する前記撥水部は、重力方向に向かって徐々に小さくなる面積を有しており、
前記第２親水部は前記撥水部と隣接して配置されており、
前記第２親水部は、重力方向に向かって徐々に大きくなる面積を有している、透過シールド装置。
【請求項７】
請求項６に記載の透過シールド装置において、
前記第２親水部及び撥水部は単一の透過ステッカに設けられており、
該透過ステッカは前記透過部材の前記外表面に貼付されている、透過シールド装置。
【請求項８】
請求項６に記載の透過シールド装置において、
前記第２親水部は、前記透過部材の前記外表面に親水性のコーティング剤がコートされてなる、透過シールド装置。
【請求項９】
請求項６に記載の透過シールド装置において、
前記撥水部は、前記透過部材の前記外表面に撥水性のコーティング剤がコートされてなる、透過シールド装置。
【請求項１０】
請求項１乃至９のいずれか１項に記載の透過シールド装置において、
前記透過部材は車両のフロントガラスである、透過シールド装置。
【請求項１１】
請求項１乃至９のいずれか１項に記載の透過シールド装置と、
前記透過シールド装置を介して外部を撮像する前記光学センサと、を備えるカメラ装置。
【請求項１２】
請求項１乃至５のいずれか１項に記載の透過シールド装置の前記透過部材の外表面に貼付される透過ステッカであって、
該透過ステッカの外表面は、前記親水部、及び前記撥水部のうちの少なくとも一つを有している、透過ステッカ。
【請求項１３】
請求項１２に記載の透過ステッカであって、
前記透過ステッカの外表面は前記拡大センシング範囲に位置するとともに親水性を有する第２親水部をさらに備え、
前記拡大センシング範囲に位置する前記撥水部は、重力方向に向かって徐々に小さくなる面積を有しており、
前記第２親水部は前記撥水部と隣接して配置されており、
前記第２親水部は、重力方向に向かって徐々に大きくなる面積を有している、透過ステッカ。
【発明の詳細な説明】
【技術分野】
【０００１】
本発明は、透過シールド装置、カメラ装置及び透過ステッカに関するものである。
【背景技術】
【０００２】
近年、フロントガラス（フロントウィンドシールド）の内側にドライブレコーダー等の車載カメラを配設した車両が増えている（例えば、特許文献１参照）。
このような車両では、例えば、事故等が起こった際の車外の様子を録画しておくことができる。
【先行技術文献】
【特許文献】
【０００３】
【特許文献１】特開２０１０−１９５２３５号公報
【発明の概要】
【発明が解決しようとする課題】
【０００４】
しかしながら、上記車載カメラのような車載光学センサをフロントガラスの内側に配置してフロントガラス越しに外部の様子をセンシングする場合では、降雨時、フロントガラス上を流れる雨滴により、良好な検出結果（車載カメラの場合は画像）が得られないという問題がある。【０００５】
特にフロントガラス全体に撥水加工が施されている場合等では、低速走行時には上方から垂れるように流れる雨滴がセンシング範囲を頻繁に通過し、また、高速走行時には走行風によって下方から上方に流れる雨滴がセンシング範囲を頻繁に通過して、良好な検出結果を得られないことが多い。【０００６】
同様に、車両のフロントガラスにおいても、降雨時にワイパを作動させていても高速走行時（特にフロントガラス全体に撥水加工が施されている場合等）にフロントガラス上を下方から上方に流れる雨滴や、制動時に車両屋根から流れ落ちる雨滴によって視界が妨げられる。したがって、より一層の視界確保が望まれている。【０００７】
本発明の目的は、降雨時でもガラスの内側から車外情報の認識が良好となる透過シールド装置、カメラ装置及び透過ステッカを提供することにある。
【課題を解決するための手段】
【０００８】
上記課題を解決する透過シールド装置は、光学センサのセンシング方向に配設される透過部材を有する。該透過部材は外部に露出した外表面を有している。該外表面は前記光学センサのセンシング範囲を含む拡大センシング範囲と該拡大センシング範囲のさらに外側に位置する周囲範囲とを有している。透過シールド装置は、さらに、前記拡大センシング範囲に位置するとともに撥水性を有する撥水部、及び前記周囲範囲に位置するとともに親水性を有する親水部、のうちの少なくとも一方を有している。前記外表面に付着した液滴は、前記センシング範囲から外側への移動が可能とされる、もしくは前記周囲範囲から前記センシング範囲への進入が抑制される。
【図面の簡単な説明】
【０００９】
【図１】本発明の第１実施形態にかかる透過シールド装置の正面図。
【図２】図１の透過シールド装置の一部断面図。
【図３】別例における透過シールド装置の部分拡大正面図。
【図４】別例における透過シールド装置の部分拡大正面図。
【図５】別例における透過シールド装置の部分拡大正面図。
【図６】別例における透過シールド装置の一部断面図。
【図７】別例における透過シールド装置の部分拡大正面図。
【図８】別例における透過シールド装置の正面図。
【図９】本発明の第２実施形態にかかる透過シールド装置の正面図。
【図１０】図９の透過シールド装置の一部断面図。
【図１１】図９の親水部及び撥水部による雨滴の搬送力を説明するための模式断面図。
【図１２】別例における車両のフロントガラスの一部拡大正面図。
【図１３】カメラ装置の斜視図。
【発明を実施するための形態】
【００１０】
以下、透過シールド装置の第１実施形態を図１及び図２に従って説明する。
図１及び図２に示すように、車載光学センサ付き車両（以下、単に車両と言う）１は、外表面が外部に露出した透過部材としてのフロントガラスＧを備えている。
【００１１】
又、車両１において、フロントガラスＧの内側には車外情報（様子等）を撮像及び記録（録画）しておくことができる車載光学センサとしての車載カメラ（本例ではドライブレコーダー）２が配設されている。本実施形態の車載カメラ２は、フロントガラスＧの上方位置における幅方向（水平方向）の中央位置に配設されている。車載カメラ２は、車両用ワイパにて払拭されないフロントガラスＧの部位に向いている。車載カメラ２は、ルームミラー（図示略）とフロントガラスＧとの間に配設されている。車載カメラ２は、フロントガラスＧを介して外部の様子を撮像し録画する。
【００１２】
そして、フロントガラスＧは、外部に露出した外表面を有している。外表面は、車載カメラ２のセンシング範囲である撮像範囲Ｈ１と、拡大センシング範囲である拡大撮像範囲Ｈ２と、拡大撮像範囲Ｈ２の外側に位置する周囲範囲Ｈ３とを有している（図２参照）。拡大撮像範囲Ｈ２は、フロントガラスＧの外表面における撮像範囲Ｈ１を全て含む範囲であって、撮像範囲Ｈ１よりも若干広い範囲である。周囲範囲Ｈ３は拡大撮像範囲Ｈ２の周囲の範囲である。第１実施形態においては、周囲範囲Ｈ３は拡大撮像範囲Ｈ２の上方の位置及び下方の位置である。周囲範囲Ｈ３には、親水性を有する親水部としてのステッカ３，４が貼付されている。このステッカ３，４は、無色透明のステッカであって、その外表面が、フロントガラスＧのステッカ３，４が貼付されていない外表面より親水性が高くなるように構成されている。尚、本実施形態では、予めフロントガラスＧ全体に撥水性のコーティング層５が設けられることにより、フロントガラスＧ全体に撥水加工が施されている。その上にステッカ３，４が貼付されている。すなわち、本実施形態において、フロントガラスＧの外表面におけるステッカ３，４を除いた部分が撥水性を有する撥水部として機能する。
【００１３】
ステッカ３は、前記撮像範囲Ｈ１の上方に位置している。ステッカ３は、幅方向（水平方向）における中央部と、幅方向における両端部と、下り傾斜部３ａ，３ｂとを有している。下り傾斜部３ａ，３ｂは、中央部からそれぞれ両端部に向かって下方に傾斜している。具体的には、本実施形態のステッカ３は、中央部から第１の端部に向かって下方に傾斜した下り傾斜部３ａと、中央部から第２の端部に向かって下方に傾斜した下り傾斜部３ｂとを含む。
【００１４】
ステッカ４は、前記撮像範囲Ｈ１の下方に位置している。ステッカ４は、幅方向（水平方向）における中央部と、幅方向における両端部と、上り傾斜部４ａ，４ｂとを有している。上り傾斜部４ａ，４ｂは、中央部からそれぞれ両端部に向かって上方に傾斜している。具体的には、本実施形態のステッカ４は、中央部から幅方向の第１の端部に向かって上方に傾斜した上り傾斜部４ａと、幅方向中央部から幅方向の第２の端部に向かって上方に傾斜した上り傾斜部４ｂとを含む。
【００１５】
次に、上記のように構成された透過シールド装置の作用について説明する。
例えば、降雨時であって低速走行時には、上側に設けられるステッカ３よりも上方から垂れるように雨滴が前記撮像範囲Ｈ１内（車載カメラ２の正面）に向かって流れて来る。雨滴がステッカ３に到達すると、その雨滴はステッカ３表面の親水性により主に下り傾斜部３ａ，３ｂにて幅方向外側に案内される。そのため、雨滴は撮像範囲Ｈ１外に流れる（図１中、２点鎖線で示された矢印Ａ参照）。
【００１６】
又、例えば、降雨時であって高速走行時には、走行風によって下側に設けられるステッカ４よりも下方から雨滴が撮像範囲Ｈ１内（車載カメラ２の正面）に向かって吹き上げられて流れてくる。雨滴がステッカ４に到達すると、その雨滴はステッカ４表面の親水性により主に上り傾斜部４ａ，４ｂにて幅方向外側に案内される。そのため、雨滴は撮像範囲Ｈ１外に流れる（図１中、２点鎖線で示された矢印Ｂ参照）。
【００１７】
次に、上記実施の形態の特徴的な効果（利点）を以下に記載する。
（１）フロントガラスＧは外部に露出した外表面を有している。外表面は車載カメラ２の撮像範囲Ｈ１を含む拡大撮像範囲Ｈ２と拡大撮像範囲Ｈ２のさらに外側に位置する周囲範囲Ｈ３とを有している。撥水性のコーティング層５が拡大撮像範囲Ｈ２に位置するとともに、親水性を有するステッカ３，４が周囲範囲に位置している。フロントガラスＧの外表面に付着した雨滴は、撥水性のコーティング層５によって、撮像範囲Ｈ１から外側への移動が可能とされる。また、フロントガラスＧの外表面に付着した雨滴は、親水性を有するステッカ３，４によって、周囲範囲Ｈ３から撮像範囲Ｈ１への進入が抑制される。
【００１８】
詳しくは、例えば、撮像範囲Ｈ１外の上側のステッカ３によって、その上方から垂れるように雨滴が撮像範囲Ｈ１内に流れ込んで来ることを抑えることができる。又、例えば、撮像範囲Ｈ１外の下側のステッカ４によって、その下方から走行風等によって吹き上げられて昇って来る雨滴が撮像範囲Ｈ１内に流れ込んで来ることを抑えることができる。よって、降雨時でも、車載カメラ２の撮像範囲Ｈ１を雨滴が通過することが抑えられ、車載カメラ２による良好な車外情報の検出（撮像）が可能となる。
【００１９】
（２）撮像範囲Ｈ１外の上方の位置に設けられるステッカ３は、中央部から両端部に向かって下方に傾斜した下り傾斜部３ａ，３ｂを有する。そのため、上方から垂れるようにステッカ３に到達した雨滴を下り傾斜部３ａ，３ｂにて幅方向外側に案内してスムーズに撮像範囲Ｈ１外に流すことができる。
【００２０】
（３）撮像範囲Ｈ１外の上方の位置に設けられるステッカ４は、中央部から両端部に向かって上方に傾斜した上り傾斜部４ａ，４ｂを有する。そのため、下方から走行風等によって昇ってきてステッカ４に到達した雨滴を上り傾斜部４ａ，４ｂにて幅方向外側に案内してスムーズに撮像範囲Ｈ１外に流すことができる。
【００２１】
（４）親水部として、外表面が親水性を有するステッカ３，４を用いたため、フロントガラスＧに容易に（貼付するだけで）親水部を設けることができる。
上記第１実施形態は、以下のように変更してもよい。
【００２２】
・第１実施形態では、透過シールド装置は親水部としてのステッカ３，４を有するとともに、フロントガラスＧ全体に撥水加工が施されている。透過シールド装置はこれに限らず、他の形状に変更してもよい。
【００２３】
・例えば、図３に示すように親水部を変更してもよい。この例の親水部は、親水性のコーティング層１１，１２であって、フロントガラスＧにコーティング剤が塗布されて設けられている。このようにしても、上側のコーティング層１１によって、その上方から垂れるように雨滴が前記撮像範囲Ｈ１内（車載カメラ２の正面）に流れ込んで来ることを抑えることができる。又、下側のコーティング層１２によって、その下方から走行風等によって吹き上げられて昇って来る雨滴が前記撮像範囲Ｈ１内（車載カメラ２の正面）に流れ込んで来ることを抑えることができる。又、親水部は、親水性のコーティング層１１，１２であるため、コーティング剤を塗布したり吹き付けたりするだけで親水部を容易に設けることができる。
【００２４】
・例えば、図４に示すように親水部を省略して撥水部のみを設けてもよい。この例の撥水部は、フロントガラスＧの外表面全体ではなく、拡大撮像範囲Ｈ２にのみに設けられる。撥水部は、第１実施形態と同様に撥水性のコーティング層５である。
【００２５】
・例えば、図５に示すように、透過シールド装置は、図３に示した親水性のコーティング層１１，１２と図４に示した撥水性のコーティング層５とを有していてもよい。
・例えば、図６に示すように、撥水部が撥水性を有するステッカ１５であってもよい。このステッカ１５は、無色透明のステッカであって、その外表面が、フロントガラスＧのステッカ１５が貼付されていない外表面より撥水性が高くなるように構成されている。図６において親水部としてステッカ３，４が設けられているが、親水部は図３に示すコーティング層１１，１２であってもよい。
【００２６】
・上記実施形態では、親水部としてのステッカ３，４は下り傾斜部３ａ，３ｂや上り傾斜部４ａ，４ｂを有するとしたが、これに限定されず、親水部は他の形状に変更されてもよい。例えば、図７に示すように、それぞれ車両の幅方向（水平方向）に沿って延びる直線状に形成されてもよい。図７において、親水部はステッカ３，４であるが、前述したコーティング層１１，１２であってもよい。図７において、撥水部はコーティング層５であるが、前述したステッカ１５であってもよい。
【００２７】
・第１実施形態の親水部（ステッカ３，４）は、撮像範囲Ｈ１外の上側の親水部と下側の親水部とが撮像範囲Ｈ１の幅方向外側で繋がった形状に変更してもよい。例えば、親水部は、撮像範囲Ｈ１を囲う円形形状であってもよい。これらの例においては、周囲範囲Ｈ３は撮像範囲Ｈ１の上方の位置及び下方の位置に加えて撮像範囲Ｈ１の第１の側方の位置（右側）及び第２の側方の位置（左側）も含む。
【００２８】
・第１実施形態では、撮像範囲Ｈ１外の上方の位置及び下方の位置に親水性を有する親水部としてのステッカ３，４を設けたが、いずれか一方の親水部のみを設けてもよい。
・第１実施形態では、フロントガラスＧの内側に車載カメラ２が配設された構成に本発明を具体化したが、本発明はこれに限定されない。例えば、リアガラスの内側に車載カメラが配設された車両において、リアガラスに親水部及び撥水部のうちの少なくとも一方を設けてもよい。尚、この場合、高速走行時であっても走行風によって下方から上方に雨滴が流れることは考え難いため、撮像範囲外の上側のみに親水部を設けるだけでも十分な効果を得ることができる。または、撮像範囲のみに撥水部を設けるだけでも十分な効果を得ることができる。
【００２９】
・第１実施形態では、車載光学センサが車載カメラ２である構成に本発明を具体化したが、これに限定されない。例えば、車外情報である前方の車両との距離を計測可能なレーダーや、その他、液滴によってセンシング結果に悪影響を与えるレーザー光を用いた車載光学センサ等をフロントガラスＧの内側に配設した車両において、フロントガラスＧに親水部を設けてもよい。
【００３０】
・第１実施形態及び別例では、車載光学センサを備えた例に本発明を具体化したが、これに限定されない。運転者を含む搭乗者の視界を確保すべく、フロントガラスＧの外表面における上側及び下側の少なくとも一方に親水性を有する親水部を設けてもよい。
【００３１】
例えば、図８に示すように、フロントガラスＧの外表面における上側及び下側に、親水性を有する親水部としてのステッカ２１，２２を貼付してもよい。
この例では、上側に設けられるステッカ２１は、幅方向（水平方向）における中央部と、幅方向における両端部と、下り傾斜部２１ａ，２１ｂとを有している。下り傾斜部２１ａは、中央部から第１の端部に向かって下方に傾斜している。下り傾斜部２１ｂは、中央部から第２の端部に向かって下方に傾斜している。又、下側に設けられるステッカ２２は、幅方向における中央部と、幅方向における両端部と、上り傾斜部２２ａ，２２ｂとを有している。上り傾斜部２２ａは、中央部から第１の端部に向かって上方に傾斜している。上り傾斜部２２ｂは、中央部から第２の端部に向かって上方に傾斜している。
【００３２】
このようにすると、例えば降雨時であって低速走行時や制動時には、上側に設けられるステッカ２１よりも上方から垂れるように雨滴がフロントガラスＧの中央（視界）に向かって流れて来る。雨滴がステッカ２１に到達すると、ステッカ２１表面の親水性により主に下り傾斜部２１ａ，２１ｂにて幅方向外側に案内されて外側に流れる（図８中、２点鎖線で示される矢印Ｃ参照）。
【００３３】
又、例えば、降雨時であって高速走行時には、走行風によって下側に設けられるステッカ２２よりも下方から雨滴がフロントガラスＧの中央（視界）に向かって流れてくる。雨滴がステッカ２２に到達すると、その雨滴はステッカ２２表面の親水性により主に上り傾斜部２２ａ，２２ｂにて幅方向外側に案内されて外側に流れる（図８中、２点鎖線で示した矢印Ｄ参照）。よって、降雨時でも、運転者を含む搭乗者の視界を雨滴が通過することが抑えられ、搭乗者による良好な外部の視認が可能となる。
【００３４】
又、この例では、フロントガラスＧの外表面における幅方向のほぼ全体に渡ってステッカ２１，２２を設けるが、これに限定されない。運転席の正面に位置する視界（アイポイント）の上側及び下側の少なくとも一方に親水性を有する親水部としてのを設けてもよい。
【００３５】
尚、勿論、このように搭乗者の視界を対象にした例においても、上記したように、親水部をコーティング層で形成したり、親水部の形状を適宜変更したりしてもよい。
・親水部及び撥水部は、車両用ワイパにて払拭されるフロントガラスＧの位置に設けられていてもよい。
【００３６】
以下、透過シールド装置の第２実施形態を図９〜図１１に従って説明する。第１実施形態と同様の構成については同様の符号を付してその説明を省略する。
フロントガラスＧの外表面における車載カメラ２のセンシング範囲である撮像範囲Ｈ１（図１０参照）と対応した位置には、ステッカ３３が貼付されている。詳しくは、ステッカ３３は、拡大撮像範囲Ｈ２に貼付されている。ステッカ３３の外表面には、撮像範囲Ｈ１よりも大きい範囲に亘って延びている親水部３４（第２親水部）及び撥水部３５が設けられている。親水部３４は、撥水部３５よりも高い親水性を有している。撥水部３５は、親水部３４よりも高い撥水性を有している。ステッカ３３において、親水部３４は重力方向に向かって徐々に面積が大きくなるように構成されている。ステッカ３３において、撥水部３５は重力方向に向かって徐々に面積が小さくなるように構成されている。本実施形態では、ステッカ３３は四角形に形成されている。親水部３４は、フロントガラスＧの外表面に沿って車両１の前方から見て重力方向に真っ直ぐ延びつつその幅が徐々に大きくなるように構成されている。その親水部３４以外の部分である撥水部３５は、フロントガラスＧの外表面に沿って車両１の前方から見て重力方向に真っ直ぐ延びつつその幅が徐々に小さくなるように構成されている。そして、本実施形態では、これらステッカ３３における親水部３４及び撥水部３５は、所定のパターンで配置されている。尚、ステッカ３３における親水部３４及び撥水部３５は無色透明であるが、図９の部分拡大図では視覚的に分かり易くするために親水部３４を網掛け模様で図示している。又、ステッカ３３は、親水部３４の面積が一方向に向かって徐々に大きくなるとともに、撥水部３５の面積が一方向にむかって徐々に小さくなるように貼付される前に配置されている。ステッカ３３は、前記一方向が重力方向に合うように、フロントガラスＧに貼付されている。なお、雨滴などの除去すべき対象液滴の搬送力を発揮する上では、対象液滴が親水部３４と撥水部３５とに跨って接触することが好ましい。そのため、対象液滴の粒径（液滴のステッカ３３との接触面の大きさ）を想定し、親水部３４の幅及び撥水部３５の幅を該粒径よりも小さくすることが好ましい。
【００３７】
次に、上記のように構成された透過シールド装置の作用について説明する。
例えば、降雨等によって、フロントガラスＧにおけるステッカ３３の外表面に雨滴が付着すると、雨滴はステッカ３３の作用（親水部３４と撥水部３５による液滴の搬送力Ｆ）と重力とによって主に重力方向に流れる。詳しくは、図１１に示すように、ステッカ３３（親水部３４と撥水部３５）は液滴Ｅの搬送力Ｆを有している。即ち、フロントガラスＧ及びステッカ３３が水平に配置された状態で、液滴Ｅは、親水部３４の面積が大きい領域（図９では下側）と撥水部３５の面積が大きい領域（図９では上側）とに跨るようにステッカ３３に付着する。この時、図１１に示すように、親水部３４の面積が大きい領域に位置する液滴Ｅの部位はステッカ３３に対して接触角θａをなす。撥水部３５の面積が大きい領域に位置する液滴Ｅの部位はステッカ３３に対して接触角θｂをなす。接触角θａは接触角θｂよりも小さいため、液滴Ｅには親水部３４の面積が大きい領域（図１１中、右側）に向く搬送力Ｆが働くことになる。そして、本実施形態では、搬送力Ｆが働く方向を重力の働く方向に対応させていることで、雨滴が主に重力方向に流れる。尚、図１０ではフロントガラスＧを垂直に図示しているが、勿論傾斜していてもよい。この場合、重力の分力と搬送力Ｆとが雨滴を重力方向（詳しくはフロントガラスＧの傾斜した面における重力の分力方向）に流すように作用する。
【００３８】
次に、第２実施の形態の特徴的な利点を以下に記載する。
（５）親水部（第２親水部）３４は、拡大撮像範囲Ｈ２に位置するとともに親水性を有する。拡大撮像範囲Ｈ２に位置する撥水部３５は、重力方向に向かって徐々に小さくなる面積を有している。親水部３４は撥水部３５と隣接して配置されている。親水部３４は、重力方向に向かって徐々に大きくなる面積を有している。よって、ステッカ３３の外表面に雨滴が付着しても親水部３４及び撥水部３５による搬送力Ｆと重力とによって雨滴が重力方向に流れ易くなる。よって、車載カメラ２のセンシング方向の位置のフロントガラスＧの外表面に雨滴が付着したままの状態となってしまうことを抑えて、車載カメラ２による良好な検出、即ち撮像が可能となる。
【００３９】
（６）親水部３４及び撥水部３５（即ちステッカ３３）は、フロントガラスＧの外表面における車載カメラ２の撮像範囲Ｈ１よりも大きい範囲に亘って設けられる。そのため、車載カメラ２の撮像範囲Ｈ１の外側へ雨滴を移動させることができ、車載カメラ２による良好な撮像が可能となる。
【００４０】
（７）親水部３４及び撥水部３５は、単一のステッカ３３に設けられている。ステッカ３３はフロントガラスＧの外表面に貼付されている。そのため、フロントガラスＧに対して親水部３４及び撥水部３５の双方を容易に設けることができる。特に、親水部３４及び撥水部３５の双方を所定のパターンで設定して単一のステッカ３３とする場合には好適である。
【００４１】
上記第２実施形態は、以下のように変更してもよい。
・第２実施形態の親水部３４及び撥水部３５は、搬送力Ｆが水平方向よりも重力方向を向くように構成されれば、他のパターンの形状に変更してもよい。
【００４２】
例えば、図１２に示すステッカ４３のように変更されてもよい。この例の親水部４１（第２親水部）は、フロントガラスＧの外表面に沿って車両１の前方から見て重力方向に対して斜めに幅方向における外側に向かって延びている。親水部４１の幅は、幅方向における外側に向かって徐々に大きくなる。親水部４１以外のステッカ４３の部分である撥水部４２は、車両１の前方から見て重力方向に対して斜めに幅方向における外側に向かって延びている。撥水部４２の幅は、幅方向における外側に向かって徐々に小さくなる。このようにすると、外表面に雨滴が付着した場合に、親水部４１と撥水部４２によって車両１の前方から見て重力方向に対して斜めに幅方向における外側に向かう搬送力Ｆが雨滴に生じる。そのため、親水部４１と撥水部４２による搬送力Ｆと重力とによって雨滴が重力方向に流れ易くなる。尚、この例のステッカ４３における親水部４１及び撥水部４２は無色透明であるが、図１２では視覚的に分かり易くするために親水部４１を網掛け模様で図示している。
【００４３】
・上記実施形態では、親水部３４（４１）及び撥水部３５（４２）は、単一のステッカ３３（４３）に設けられてフロントガラスＧの外表面に貼付されるが、これに限定されない。例えば、親水部は親水性のコーティング層であってもよいし、撥水部は撥水性のコーティング層であってもよい。フロントガラスＧに直接コーティング剤をコーティングして親水性、撥水性の各コーティング層を形成することができる。コーティング剤を塗布したり吹き付けたりするだけで親水部や撥水部を容易に設けることができる。
【００４４】
・親水部は、撥水部よりも親水性が高ければよい。例えば、フロントガラスＧの元々の外表面に対して親水性が高い親水部のみをコーティング剤にて設けてもよい。この場合、フロントガラスＧの元々の外表面が撥水部として機能する。又、逆に撥水部は、親水部よりも撥水性が高ければよい。例えば、フロントガラスＧの元々の外表面に対して撥水性が高い撥水部のみをコーティング剤にて設けてもよい。この場合、フロントガラスＧの元々の外表面が親水部として機能する。
【００４５】
・上記実施形態では、親水部３４及び撥水部３５（即ちステッカ３３）は、フロントガラスＧの外表面における拡大撮像範囲Ｈ２に設けられるが、これに限定されない。例えば、車載カメラ２の撮像範囲Ｈ１内の中心部付近のみに親水部３４及び撥水部３５を設けてもよい。
【００４６】
・上記実施形態では、光学センサとしての車載カメラ２と透過部材としてのフロントガラスＧとを備える構成に本発明を具体化したが、これに限定されない。光学センサや透過部材が他の構成であってもよい。
【００４７】
例えば、図１３に示すように、道路沿いや河川沿い等に設置されるカメラ装置（監視カメラ）５１に本発明を具体化してもよい。カメラ装置５１は、外部を撮像する光学センサとしてのカメラ素子部５１ａと、外部に露出する透過部材としてのガラス窓５１ｂと、ガラス窓５１ｂに設けられるステッカ３３（親水部３４及び撥水部３５）とを備えている。このようにしても、ガラス窓５１ｂの外表面に雨滴等の液滴が付着したままの状態となってしまうことを抑えて、良好な撮像が可能となる。
【００４８】
又、例えば、車載光学センサは、前方の車両との距離を計測可能なレーダーやレーザー光を用いる車載光学センサであってもよい。レーダーやレーザー光のセンシング方向に配設されるとともに外部に露出した透過部材に上記したように親水部及び撥水部を設けてもよい。
【００４９】
又、勿論、前記車載カメラ２を、車両の側方を撮像するサイドミラー用カメラとして適用してもよいし、車両の後方を撮像するリア用カメラとして適用してもよい。
【符号の説明】
【００５０】
１…車両、２…車載カメラ（光学センサ）、３，４，２１，２２…ステッカ（親水部）、３ａ，３ｂ，４ａ，４ｂ，２１ａ，２１ｂ，２２ａ，２２ｂ…傾斜部、５…コーティング層（撥水部）、１５…ステッカ（撥水部）、１１，１２…コーティング層（親水部）、３３，４３…ステッカ、３４，４１…親水部、３５，４２…撥水部、５１…カメラ装置、５１ａ…カメラ素子部、５１ｂ…ガラス窓（透過部材）、Ｅ…液滴、Ｆ…搬送力、Ｇ…フロントガラス（透過部材）、θａ，θｂ…接触角、Ｈ１…撮像範囲（センシング範囲）、Ｈ２…拡大撮像範囲（拡大センシング範囲）、Ｈ３…周囲範囲。
【図１】
2015104903.tif 000003
【図２】
2015104903.tif 000004
【図３】
2015104903.tif 000005
【図４】
2015104903.tif 000006
【図５】
2015104903.tif 000007
【図６】
2015104903.tif 000008
【図７】
2015104903.tif 000009
【図８】
2015104903.tif 000010
【図９】
2015104903.tif 000011
【図１０】
2015104903.tif 000012
【図１１】
2015104903.tif 000013
【図１２】
2015104903.tif 000014
【図１３】
2015104903.tif 000015
【手続補正書】
【提出日】平成27年4月29日(2015.4.29)
【手続補正１】
【補正対象書類名】特許請求の範囲
【補正対象項目名】全文
【補正方法】変更
【補正の内容】
【特許請求の範囲】
【請求項１】
光学センサのセンシング方向に配設される透過部材であって、該透過部材は外部に露出した外表面を有しており、該外表面は前記光学センサのセンシング範囲を含む拡大センシング範囲と該拡大センシング範囲のさらに外側に位置する周囲範囲とを有している、前記透過部材と、
前記拡大センシング範囲に位置するとともに撥水性を有する撥水部、及び前記周囲範囲に位置するとともに親水性を有する親水部、のうちの少なくとも一方と、を備え、
前記外表面に付着した液滴は、前記光学センサのセンシング範囲から外側への移動が可能とされる、もしくは前記周囲範囲から前記光学センサのセンシング範囲への進入が抑制される、透過シールド装置。
【請求項２】
請求項１に記載の透過シールド装置において、
前記親水部は、前記光学センサのセンシング範囲よりも上方の前記透過部材の位置及び前記光学センサのセンシング範囲よりも下方の前記透過部材の位置の少なくとも一方に設けられている、透過シールド装置。
【請求項３】
請求項１に記載の透過シールド装置において、
前記親水部は、前記光学センサのセンシング範囲よりも上方の前記透過部材の位置に設けられており、
前記親水部は、中央部と端部と下り傾斜部とを有しており、
該下り傾斜部は、前記中央部から前記端部に向かって下方に傾斜している、透過シールド装置。
【請求項４】
請求項１に記載の透過シールド装置において、
前記親水部は、前記光学センサのセンシング範囲よりも下方の前記透過部材の位置に設けられており
前記親水部は、中央部と端部と上り傾斜部とを有しており、
該上り傾斜部は、前記中央部から前記端部に向かって上方に傾斜している、透過シールド装置。
【請求項５】
請求項１に記載の透過シールド装置において、
前記親水部は、前記透過部材の前記外表面に親水性のコーティング剤がコートされてなる、透過シールド装置。
【請求項６】
請求項１に記載の透過シールド装置において、
前記拡大センシング範囲に位置するとともに親水性を有する第２親水部をさらに備え、
前記拡大センシング範囲に位置する前記撥水部は、重力方向に向かって徐々に小さくなる面積を有しており、
前記第２親水部は前記撥水部と隣接して配置されており、
前記第２親水部は、重力方向に向かって徐々に大きくなる面積を有している、透過シールド装置。
【請求項７】
請求項６に記載の透過シールド装置において、
前記第２親水部及び撥水部は単一の透過ステッカに設けられており、
該透過ステッカは前記透過部材の前記外表面に貼付されている、透過シールド装置。
【請求項８】
請求項６に記載の透過シールド装置において、
前記第２親水部は、前記透過部材の前記外表面に親水性のコーティング剤がコートされてなる、透過シールド装置。
【請求項９】
請求項６に記載の透過シールド装置において、
前記撥水部は、前記透過部材の前記外表面に撥水性のコーティング剤がコートされてなる、透過シールド装置。
【請求項１０】
請求項１乃至９のいずれか１項に記載の透過シールド装置において、
前記透過部材は車両のフロントガラスである、透過シールド装置。
【請求項１１】
請求項１乃至９のいずれか１項に記載の透過シールド装置と、
前記透過シールド装置を介して外部を撮像する前記光学センサと、を備えるカメラ装置。
【請求項１２】
請求項１乃至５のいずれか１項に記載の透過シールド装置の前記透過部材の外表面に貼付される透過ステッカであって、
該透過ステッカの外表面は、前記親水部、及び前記撥水部のうちの少なくとも一つを有している、透過ステッカ。
【請求項１３】
請求項１２に記載の透過ステッカであって、
前記透過ステッカの外表面は前記拡大センシング範囲に位置するとともに親水性を有する第２親水部をさらに備え、
前記拡大センシング範囲に位置する前記撥水部は、重力方向に向かって徐々に小さくなる面積を有しており、
前記第２親水部は前記撥水部と隣接して配置されており、
前記第２親水部は、重力方向に向かって徐々に大きくなる面積を有している、透過ステッカ。
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
光学センサのセンシング方向に配設される透過部材であって、該透過部材は外部に露出した外表面を有しており、該外表面は前記光学センサのセンシング範囲を含む拡大センシング範囲と該拡大センシング範囲のさらに外側に位置する周囲範囲とを有している、前記透過部材と、
前記周囲範囲に位置するとともに親水性を有する親水部と、を備え、
前記外表面に付着した液滴は、前記周囲範囲から前記光学センサのセンシング範囲への進入が抑制され、
前記親水部は、前記光学センサのセンシング範囲よりも上方の前記透過部材の位置に設けられており、
前記親水部は、中央部と端部と下り傾斜部とを有しており、
該下り傾斜部は、前記中央部から前記端部に向かって下方に傾斜している、透過シールド装置。
【請求項２】
請求項１に記載の透過シールド装置において、
前記光学センサのセンシング範囲よりも下方の前記透過部材の位置に設けられている親水部をさらに備える、透過シールド装置。
【請求項３】
光学センサのセンシング方向に配設される透過部材であって、該透過部材は外部に露出した外表面を有しており、該外表面は前記光学センサのセンシング範囲を含む拡大センシング範囲と該拡大センシング範囲のさらに外側に位置する周囲範囲とを有している、前記透過部材と、
前記周囲範囲に位置するとともに親水性を有する親水部と、を備え、
前記外表面に付着した液滴は、前記周囲範囲から前記光学センサのセンシング範囲への進入が抑制され、
前記親水部は、前記光学センサのセンシング範囲よりも下方の前記透過部材の位置に設けられており
前記親水部は、中央部と端部と上り傾斜部とを有しており、
該上り傾斜部は、前記中央部から前記端部に向かって上方に傾斜している、透過シールド装置。
【請求項４】
請求項３に記載の透過シールド装置において、
前記光学センサのセンシング範囲よりも上方の前記透過部材の位置に設けられている親水部をさらに備える、透過シールド装置。
【請求項５】
請求項１〜４のいずれか一項に記載の透過シールド装置において、
前記拡大センシング範囲に位置するとともに撥水性を有する撥水部をさらに備え、
前記外表面に付着した液滴は、前記光学センサのセンシング範囲から外側への移動が可能とされる、透過シールド装置。
【請求項６】
光学センサのセンシング方向に配設される透過部材であって、該透過部材は外部に露出した外表面を有しており、該外表面は前記光学センサのセンシング範囲を含む拡大センシング範囲と該拡大センシング範囲のさらに外側に位置する周囲範囲とを有している、前記透過部材と、
前記拡大センシング範囲に位置するとともに撥水性を有する撥水部と、
前記拡大センシング範囲に位置するとともに親水性を有する親水部と、を備え、
前記外表面に付着した液滴は、前記光学センサのセンシング範囲から外側への移動が可能とされるとともに前記周囲範囲から前記光学センサのセンシング範囲への進入が抑制され、
前記拡大センシング範囲に位置する前記撥水部は、重力方向に向かって徐々に小さくなる面積を有しており、
前記親水部は前記撥水部と隣接して配置されており、
前記親水部は、重力方向に向かって徐々に大きくなる面積を有している、透過シールド装置。
【請求項７】
請求項６に記載の透過シールド装置において、
前記親水部及び撥水部は単一の透過ステッカに設けられており、
該透過ステッカは前記透過部材の前記外表面に貼付されている、透過シールド装置。
【請求項８】
請求項１〜７のいずれか一項に記載の透過シールド装置において、
前記親水部は、前記透過部材の前記外表面に親水性のコーティング剤がコートされてなる、透過シールド装置。
【請求項９】
請求項５〜７のいずれか一項に記載の透過シールド装置において、
前記撥水部は、前記透過部材の前記外表面に撥水性のコーティング剤がコートされてなる、透過シールド装置。
【請求項１０】
請求項１乃至９のいずれか１項に記載の透過シールド装置において、
前記透過部材は車両のフロントガラスである、透過シールド装置。
【請求項１１】
請求項１乃至９のいずれか１項に記載の透過シールド装置と、
前記透過シールド装置を介して外部を撮像する前記光学センサと、を備えるカメラ装置。
【請求項１２】
請求項５に記載の透過シールド装置の前記透過部材の外表面に貼付される透過ステッカであって、
該透過ステッカの外表面は、前記親水部、及び前記撥水部のうちの少なくとも一つを有している、透過ステッカ。
【請求項１３】
透過シールド装置の透過部材の外表面に貼付される透過ステッカであって、
前記透過シールド装置は、光学センサのセンシング方向に配設される前記透過部材を含
んでおり、該透過部材は外部に露出した外表面を有しており、該外表面は前記光学センサのセンシング範囲を含む拡大センシング範囲と該拡大センシング範囲のさらに外側に位置する周囲範囲とを有しており、
前記透過ステッカの外表面は、
前記拡大センシング範囲に位置するとともに撥水性を有する撥水部と、
前記拡大センシング範囲に位置するとともに親水性を有する親水部と、を備え、
前記外表面に付着した液滴は、前記光学センサのセンシング範囲から外側への移動が可能とされるとともに前記周囲範囲から前記光学センサのセンシング範囲への進入が抑制され、
前記拡大センシング範囲に位置する前記撥水部は、重力方向に向かって徐々に小さくなる面積を有しており、
前記親水部は前記撥水部と隣接して配置されており、
前記親水部は、重力方向に向かって徐々に大きくなる面積を有している、透過ステッカ。
【国際調査報告】
2015104903.tif 000016
2015104903.tif 000017
2015104903.tif 000018
2015104903.tif 000019